(57)【要約】【課題】外部の通信機に現在位置情報を送信していることを犯人に悟られないようにすることができる携帯電話装置を提供する。【解決手段】  所定の時刻になると、待ち受け表示画面になり（ステップＳ１１）、位置情報を受信すると共に、受信した位置情報を予め設定した相手先に自動的に送信する（ステップＳ１２からＳ１３）。メール送信の時間帯にキー操作があると（ステップＳ１４）、ディスプレイに要充電と表示させ（ステップＳ１５）、犯人に位置情報をメールで送信していることを悟られないようにする。【選択図】      図３
2007043626.tif 000002
【特許請求の範囲】
【請求項１】
ＧＰＳ衛星からのＧＰＳデータを受信するＧＰＳ受信部と、前記ＧＰＳ受信部で受信されたＧＰＳデータに基づいて現在位置情報を算出する制御部と、前記現在位置情報を外部の通信機に送信する送信部と、表示部と、を有する携帯電話装置であって、
前記制御部は、前記送信部が現在位置情報を送信する際に、その送信状態を示す画面表示になることを禁止するように制御することを特徴とする携帯電話装置。
【請求項２】
ＧＰＳ衛星からのＧＰＳデータを受信するＧＰＳ受信部と、前記ＧＰＳ受信部で受信されたＧＰＳデータに基づいて現在位置情報を算出する制御部と、登録された時間の間前記現在位置情報を外部の通信機に送信する送信部と、入力部と、表示部と、を有する携帯電話装置であって、
前記制御部は、前記登録された時間の間、前記現在位置情報を送信していることを示す画面表示になることを禁止するように制御することを特徴とする携帯電話装置。
【請求項３】
請求項１又は２に記載の携帯電話装置であり、入力部を有し、
前記制御部は、前記現在位置情報を送信していることを示す画面表示になることを禁止するように制御する際に、前記入力部の操作があると判定すると、前記表示部に充電が必要であることを示すメッセージを表示するように制御することを特徴とする携帯電話装置。
【請求項４】
請求項１又は２に記載の携帯電話装置であり、入力部を有し、
前記制御部は、前記現在位置情報を送信していることを示す画面表示になることを禁止するように制御する際に、前記入力部の操作があると判定すると、前記表示部に暗証番号の入力が必要であることを示すメッセージを表示するように制御することを特徴とする携帯電話装置。
【発明の詳細な説明】
【技術分野】
【０００１】
本発明は、ＧＰＳ（Ｇｌｏｂａｌ  Ｐｏｓｉｔｉｏｎｉｎｇ  Ｓｙｓｔｅｍ）機能や電子メール機能などを備えた携帯電話装置に関する。
【背景技術】
【０００２】
従来からＧＰＳ機能を有する携帯電話装置が知られており、この種の携帯電話装置の中には、ＧＰＳにより現在位置情報を受信し、その現在位置情報を他の通信機に送信するものがある（下記特許文献１参照）。
【特許文献１】特開２００２−８２８９０号公報
【発明の開示】
【発明が解決しようとする課題】
【０００３】
ところで、上記従来の携帯電話装置は、所定時間の間現在の位置情報をメールに添付し、自動的に他の端末に送信するものである。この携帯電話を活用して防犯に役立てることが考えられる。例えば、子供を塾に行かせる際に、予め位置情報を送信する時間帯（ここでは、塾が終了してからの時間）を設定しておき、携帯電話を子供に持たせることが考えられる。このようにすれば、例えば子供が塾の帰りに誘拐された場合には、親の端末に子供の現在位置情報が自動的に送信されるため、親はいつもの帰り道を通らない子供を不審に思い、誘拐されたと判断し警察に通報することができる。
【０００４】
しかしながら、端末の所有者である子供が誘拐された場合に、携帯電話を犯人に見つからなければ良いが、見つかった場合には、通常メール送信時には例えば「メール送信中」や「位置送信終了」と表示される為に、自動的に位置情報を送信していることが犯人に知られ、携帯電話装置の電源を遮断或いはバッテリーが犯人に外されることにより、位置情報の送信が中断される可能性がある。
【０００５】
このような事態になれば、せっかくの位置情報送信機能が有効に活用できない。
【課題を解決するための手段】
【０００６】
本発明はこのような課題を解決するものであり、請求項１の携帯電話装置は、ＧＰＳ衛星からのＧＰＳデータを受信するＧＰＳ受信部と、前記ＧＰＳ受信部で受信されたＧＰＳデータに基づいて現在位置情報を算出する制御部と、前記現在位置情報を外部の通信機に送信する送信部と、表示部と、を有する携帯電話装置であって、前記制御部は、前記送信部が現在位置情報を送信する際に、その送信状態を示す画面表示になることを禁止するように制御することを特徴とする。
請求項２記載の携帯電話装置は、ＧＰＳ衛星からのＧＰＳデータを受信するＧＰＳ受信部と、前記ＧＰＳ受信部で受信されたＧＰＳデータに基づいて現在位置情報を算出する制御部と、登録された時間の間前記現在位置情報を外部の通信機に送信する送信部と、入力部と、表示部と、を有する携帯電話装置であって、前記制御部は、前記登録された時間の間、前記現在位置情報を送信していることを示す画面表示になることを禁止するように制御することを特徴とする。
請求項３記載の携帯電話装置は、請求項１又は２に記載の携帯電話装置であり、入力部を有し、前記制御部は、前記現在位置情報を送信していることを示す画面表示になることを禁止するように制御する際に、前記入力部の操作があると判定すると、前記表示部に充電が必要であることを示すメッセージを表示するように制御することを特徴とする。
請求項４記載の携帯電話装置は、請求項１又は２に記載の携帯電話装置であり、入力部を有し、前記制御部は、前記現在位置情報を送信していることを示す画面表示になることを禁止するように制御する際に、前記入力部の操作があると判定すると、前記表示部に暗証番号の入力が必要であることを示すメッセージを表示するように制御することを特徴とする。
【発明の効果】
【０００７】
本発明によれば、位置情報を添付したメールを自動的に送信する際に、メール送信中である旨のメッセージ表示を禁止させる為、犯人に位置情報を送信していることを悟られることを回避できる。
又、位置情報を添付したメールを自動的に送信する際にキー操作があれば、表示部に要充電や暗証番号を入力してくださいと表示されるため、例えば、誘拐犯に位置情報を送信していることを悟られることがなく、携帯電話装置の防犯としての機能を有効に活用することができる。
【発明を実施するための最良の形態】
【０００８】
次に、本発明の一実施形態に係る携帯電話装置について、図面を参照して説明する。
【０００９】
図１に示すように、携帯電話装置１０は、アンテナ１６と接続された電話通信部１２を備えている。この電話通信部１２は、後述のベースバンド部１４からの信号をアンテナ１６を介して基地局へ発信し、あるいはアンテナ１６を介して基地局からの電波を受信する。
【００１０】
また、電話通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１５】
また、携帯電話装置１０は、ＧＰＳアンテナ５６と接続されたＧＰＳ通信部（ＧＰＳ送信部、ＧＰＳ受信部）５８を備えている。ＧＰＳ通信部５８は、ＧＰＳ受信部と、ＧＰＳ送信部と、で構成されている。ＧＰＳ受信部では、ＧＰＳアンテナ５６がとらえた現在位置情報に関する電波（ＧＰＳデータ）を電気信号に変換処理して制御回路３６に出力する。この制御回路３６では、ＧＰＳデータに基づいて携帯電話装置１０の現在位置情報が算出される。なお、制御回路３６に出力された携帯電話装置１０の現在位置情報は、ＲＡＭ４０に記憶される。また、ＧＰＳ送信部では、制御回路３６により算出された現在位置情報をデータとして、ＧＰＳアンテナ５６を介して外部の通信機（例えば、別の携帯電話装置）に送信する。
【００１６】
また、電話通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。また、制御回路３６によりＧＰＳ通信部５８又は電話通信部１２を介して外部の通信機（例えば、携帯電話装置）に対して現在位置情報を添付した電子メールを送信することができるようになっている。また、制御回路３６にはタイマー（図示省略）が内蔵されており、外部の通信機（例えば、携帯電話装置）に対して現在位置情報を添付した電子メールを所定のタイミングで定期的に送信することができるようになっている。
【００１７】
ここで、ＲＡＭ４０には、所定の情報が記憶されている。具体的には、位置情報を添付したメールを送信する時刻と送信する相手先、メールを送信する時間間隔等が記憶される。又、これらのデータはユーザが設定可能である。
【００１８】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、後述の照明部４６からディスプレイ４２への照明を停止し携帯電話装置１０が鳴動不可能な状態（電源オフの状態）にする電源キー６４と、を有している。なお、この電源キー６４を操作することにより、後述の第１バッテリー部６０及び第２バッテリー部６２のオン状態・オフ状態を、適宜、切り替えることができる。
【００１９】
また、制御回路３６には、所定の色のＬＥＤ素子を備えた照明部４６が接続されている。照明部４６のＬＥＤ素子の発光により、ディスプレイ４２が所定の色に施される。
【００２０】
次に本実施携帯に係る携帯電話装置１０の動作について説明する。
【００２１】
図２及び図３は本実施例装置の動作を示すフロー図である。
【００２２】
図２は位置情報を送信する時刻と送信先を登録する際のフロー図である。
【００２３】
ステップＳ１において、制御回路３６は、入力部４４から位置情報を添付したメールを送信する時刻（送信開始時刻、又は送信開始時刻及び送信終了時刻）の情報を入力し、ＲＡＭ４０に格納する。
【００２４】
続くステップＳ２において、制御回路３６は、入力部４４からメールを送信する相手先（例えば、ユーザの母親）のメールアドレスの情報を入力し、上記Ｓ１ステップにおける送信時刻と対応付けてＲＡＭ４０に格納する。
【００２５】
続くステップＳ３において、制御回路３６は、メールのタイトル（例えば、助けて）を入力部４４から入力し、上記Ｓ１ステップにおける送信時刻と対応付けてＲＡＭ４０に格納する。
【００２６】
続くステップＳ４において、制御回路３６は、メールを送信する時間間隔（例えば、２分毎）を入力部４４から入力し、上記Ｓ１ステップにおける送信時刻と対応付けてＲＡＭ４０に格納する。このようにして登録が完了する。
【００２７】
次にメール送信の動作について説明する。図３はメール送信を説明するフロー図である。
【００２８】
図３のステップＳ１０において、制御回路３６は、ＲＡＭ４０に格納された送信開始時刻になったと判定すると、ステップＳ１１へ処理を進める。
【００２９】
ステップＳ１１において、制御回路３６は、ディスプレイ４２を待ち受け表示（例えば、ユーザが予め登録した壁紙と現在時刻、電池マーク、アンテナマーク等が表示される）とし、ステップＳ１２へ処理を進める。
【００３０】
ステップＳ１２において、制御回路３６は、ＧＰＳ通信部５８を制御することにより現在の位置情報を受信する。
【００３１】
続くステップＳ１３において、制御回路３６は、前記ステップＳ１２で受信した位置情報をＲＡＭに格納されている相手先にメール添付し送信する。尚、メール送信後にタイマー（図示せず）を起動させる。このタイマーは、ＲＡＭ４０に格納されているメールを自動的に送信する時間間隔を計時するためのタイマーである。尚、通常の携帯電話装置では、メール送信を開始すると、メール送信中といったように、メールが送信されていることをディスプレイに表示するが、本実施例装置では、メール送信が開始されてもディスプレイの表示は変わらない。
【００３２】
続くステップＳ１４において、制御回路３６は、入力部４４からキー操作があると判定すると、Ｓ１５ステップへ処理を進め、そうでなければ、ステップＳ１６へ処理を進める。
【００３３】
ステップＳ１５では、制御回路３６は、ディスプレイ４２に、要充電と表示させる。尚、このステップＳ１５において、要充電と表示させるのは、例えば犯人がキー操作を行った際に、携帯電話が使用できないと思わせ、自動的に位置情報を添付したメールを送信することが妨害されることを回避するためである、又、この時、ディスプレイに表示されている電池マークも残量が少ないことを示す電池マークに切り換え表示させても良い。更に、要充電と表示させる以外に、暗証番号を入力して下さい、と暗証番号の入力を促す画面を表示しても良い。
【００３４】
続くステップＳ１６では、制御回路３６は、前記ステップＳ１３で計時開始したタイマーが、ＲＡＭ４０に格納された所定時間をカウントしたと判定すると、タイマーをリセットした後にＳ１２ステップへ処理を戻し、そうでなければ、ステップＳ１７へ処理を進める。
【００３５】
ステップＳ１７では、制御回路３６は、ＲＡＭ４０に格納されている所定時刻（メール送信の終了時刻）になったと判定すると処理を終了し、そうでなければＳ１４ステップへ処理を進める。尚、ＲＡＭ４０にメール送信の終了時刻が格納されていない際には、ユーザが所定の操作を行わない限り、繰り返し所定時間毎に位置情報を添付したメールを送信し続けても良い。
【００３６】
このように、本実施例装置では、位置情報を添付したメールを自動的に送信する際にキー操作があれば、表示部に要充電や暗証番号を入力してくださいと表示されるため、例えば、誘拐犯に位置情報を送信していることを悟られることがなく、携帯電話装置の防犯としての機能を有効に活用することができる。又、キー操作があった際に、待ち受け画面の表示を維持することや画面の切り替えがないようにしても良い。これにより、携帯電話が故障して使えないように犯人に思わせることができる。
【００３７】
尚、位置情報を自動的に送信しているか否かをユーザ（例えば子供）に知らせるために、位置情報を送信する時間帯になれば、表示画面を特定の画面（例えば、パンダの画像）を表示するようにしても良い。
【００３８】
又、本実施例では、所定時間の間にメールを送る構成としたが、ユーザのキー操作に応じてメールを送信する構成としても良い。このような構成の場合、例えば、子供が誘拐された場合に子供がキー操作を行い即座にメールを送信することができる。
【００３９】
更に、本実施例は、メール送信中といったメッセージが表示されるのを禁止するものであるが、「・・・を押せば送信を開始します。」や「送信を終了しました」といった、メッセージが表示されるのを禁止しても良い。
【００４０】
又、本実施例では、位置情報をメールに添付して送信する構成を記載したが、位置情報のみを送信しても良い。
【図面の簡単な説明】
【００４１】
【図１】本発明の一実施形態に係る携帯電話装置のブロック図である。
【図２】本発明の一実施形態に係る携帯電話装置の動作を示すフローチャートである。
【図３】本発明の一実施形態に係る携帯電話装置の動作を示すフローチャートである。
【符号の説明】
【００４２】
１０      携帯電話装置
１２      電話送信部
３６      制御回路（制御部）
４０      ＲＡＭ（記憶部）
４２      ディスプレイ（表示部）
５８      ＧＰＳ通信部（ＧＰＳ送信部、ＧＰＳ受信部）
【図１】
2007043626.tif 000003
【図２】
2007043626.tif 000004
【図３】
2007043626.tif 000005